(57)【特許請求の範囲】
【請求項１】
周方向に間隔をあけて複数本の支柱が起立させられ、該支柱間に外側面に多数のＬＥＤ素子が配置されて一部を揺動自在にして軸支された発光板と、該発光板の背面にスライド及び自動静止する発光板の角度調節板がそれぞれ連結された光源部を有することを特徴とするバルーン式照明装置。
【請求項２】
周方向に間隔をあけて複数本の支柱が起立させられ、該支柱間に外側面に多数のＬＥＤ素子を配置した発光板の一部を揺動自在にして軸支され、該発光板のそれぞれ背面にはブラケットを介してスライドしさらに長孔を有する前記発光板の角度調節板がそれぞれ連結され、該それぞれの角度調節板の長孔が重合させられて該重合された長孔に支持ボルトを挿通し、該支持ボルトに前記角度調節板の長孔を押圧支持した光源部を有することを特徴とする請求項１に記載のバルーン式照明装置。
【請求項３】
前記光源部を上下二段に形成し上段の光源部を下段の光源部の間位置に配置したことを特徴とする請求項１又は２に記載のバルーン式照明装置。
【請求項４】
前記上段の光源部を前記下段の光源部に対して回転自在に支持したことを特徴とする請求項３に記載のバルーン式照明装置。
【発明の詳細な説明】
【技術分野】
【０００１】
本発明は、夜間の道路工事、その他、各種の作業現場において使用されるバルーン式照明装置に関する
【背景技術】
【０００２】
従来、前記バルーン式照明器具として、ＬＥＤ素子を取付けた複数の縦枠を周方向に並べて略筒状の光源取付枠を形成し、前記ＬＥＤ素子を点灯させるための回路部を設け、バルーン内での給気装置からの給気路中に前記ＬＥＤ素子及び前記回路部品を配置したバルーン式照明器具が提案されている（特許文献１）。
【０００３】
前記バルーン式照明器具は、前記光源取付枠を構成する縦枠のＬＥＤ素子の取付面を斜め下向きに固定している（特許文献１、請求項６）。
【先行技術文献】
【特許文献】
【０００４】
【特許文献１】特開２０１１−１８１４００号公報
【発明の概要】
【発明が解決しようとする課題】
【０００５】
ＬＥＤ素子を使用した照明装置はランプからなる照明装置に比べて節電効果に優れているが遠方にまで光が届きにくいという問題がある。したがって、ＬＥＤ素子を使用した照明装置の場合には各作業現場に適応するように光の照射角度を調整するなどして必要な明るさを確保する必要がある。
【０００６】
本発明は、各作業現場において光の照射角度を調節することができるとともに該照射角度の調節を工具を使用することなく容易且つ迅速に行うことができ、しかも、調節した光の照射角度に光源が自動的に保持され、振動等に対して前記光源にガタつきが生じることがないバルーン式照明装置を提供することを目的とする。
【課題を解決するための手段】
【０００７】
前記目的を達成するため、本発明のバルーン式照明装置は、周方向に間隔をあけて複数本の支柱が起立させられ、該支柱間に外側面に多数のＬＥＤ素子が配置されて一部を揺動自在にして軸支された発光板と、該発光板の背面にスライド及び自動静止する発光板の角度調節板がそれぞれ連結された光源部を有することを特徴とする（請求項１）。
なお、前記発光板の角度調節板のスライド及び自動静止はスライド自在とした角度調節板にバネ圧を加えて行なうことができる。
【０００８】
前記構成の本発明によれば、周方向に間隔をあけて複数の支柱が起立させられ、該支柱間に外側面に多数のＬＥＤ素子を配置した発光板の一部が揺動自在に軸支され、該発光板の背面にスライド及び自動静止する発光板の角度調節板が連結されているので、発光板の一部を手で押圧あるいは引き出すことにより、発光板の角度、すなわち、ＬＥＤ素子からの光の照射角度を各作業現場にあわせて自由に調節できる。さらに、前記発光板の角度調節板をスライド及び自動静止する構成としたことにより、無段階調節が可能であり、調節された角度に発光板が自動的に保持され、振動等に対してもガタつきが生じることがない。
【０００９】
さらに、周方向に間隔をあけて起立させられた複数本の支柱間に、前記発光板と該発光板の角度調節板とからなる光源部がそれぞれ配置されて一体光源部として明るさ及び光の照射方向の増大を図ることができる。
【００１０】
さらに、前記発光板のそれぞれ一部を複数本の支柱間に容易に軸支することができるとともに複数の発光板が円形状に配置される。
【００１１】
本発明の実施の一形態は、周方向に間隔をあけて複数本の支柱が起立させられ、該支柱間に外側面に多数のＬＥＤ素子を配置した発光板の一部を揺動自在にして軸支され、該発光板のそれぞれ背面にはブラケットを介してスライドしさらに長孔を有する前記発光板の角度調節板がそれぞれ連結され、該それぞれの角度調節板の長孔が重合させられ該重合させられた長孔に支持ボルトを挿通し、該支持ボルトに前記角度調節板の長孔を押圧支持した光源部を有することを特徴とする（請求項２）。この実施の一形態によれば、前記請求項１の作用効果に加えて角度調節板に設けた長孔がガイドとなり、前記角度調節板を正確且つスムーズにスライド及び自動静止させることができる。
【００１２】
本発明の実施の一形態は、前記光源部を上下二段に形成し、上段の光源部を下段の光源部の間位置に配置したことを特徴とする（請求項３）。この実施の一形態によれば周囲に光を均等に照射することができるとともに明るさの範囲を向上させることができる。
【００１３】
本発明の実施の一形態は、前記上段の光源部を前記下段の光源部に対して回転自在に支持したことを特徴とする（請求項４）この実施の一形態によれば、各作業現場に合わせた光の照射角度の自由度がさらに増大する。
【発明の効果】
【００１４】
本発明によれば、各作業現場において、光の照射角度を調節できるとともに、該光の照射角度の調節を工具を使用することなく容易且つ迅速に行うことができる。しかも前記調節した照射角度に光源が自動的に保持され、さらに振動等に対してガタつきが生じることがない効果が得られる。
【図面の簡単な説明】
【００１５】
【図１】バルーンを外した光源部の斜視図である。
【図２】光源部の一部拡大斜視図である。
【図３】発光板の揺動機構を示す斜視図である。
【図４】光源部の変形状態を示す一部拡大斜視図である。
【図５】バルーン式照明装置一例を示す側面図である。
【発明を実施するための形態】
【００１６】
以下に本発明の実施の一形態を説明する。まず、バルーン式照明装置の全体を説明する。
【００１７】
図５に示す通り、バルーン式照明装置は、発電機あるいは蓄電池を搭載した台車１に高さを調節する伸縮自在のマスト２が起立させられ、該マスト２の上端には基台部３を介して光源部４及び該光源部４を覆うバルーン５を設けて構成されている。
【００１８】
なお、前記基台部３には、詳細を図示しないが、前記光源部４の制御回路及び前記バルーン５内に給気を行うためのファン及び駆動モータからなる給気装置等が設けられている。本発明は、前記バルーン５が被せられる光源部４に関する。
【００１９】
本発明の光源部４は、外側面に多数のＬＥＤ素子８を配置されて一部が揺動自在に支持された発光板９と、該発光板９の背面に連結されてスライド及び自動静止する角度調節板１３からなる。なお、該角度調節板１３のスライド及び自動静止はスライド自在とした角度調節板１３にバネ圧を加えて行うことができる。
【００２０】
図面実施例では、前記光源部４が複数且つ上下二段に設けられている。なお、該上下段の光源部４の構成は同じである。
【００２１】
つぎに、その具体的実施例を説明する。図面実施例では前記基台部３の上部に、制御回路及び給気装置等の妨げにならないように略ドーナツ状の光源支持板６が設けられる。
【００２２】
さらに前記光源支持板６上には、その周方向に間隔をあけて複数本の支柱７が起立させられる。図面実施例では三本のアングル材の支柱７が等間隔に起立させられている。
【００２３】
つぎに、前記それぞれの支柱７間に、外側面に多数のＬＥＤ素子８を配置した発光板９の一部を揺動自在にして軸支される。図面実施例では、前記支柱７にボルト・ナット等１０にて前記発光板９の下部を軸支して上部を揺動自在にしている。
【００２４】
つぎに、前記発光板９の背面上部にブラケット１１を介してそれぞれ長孔１２を有し水平移動する細長い角度調節板１３が連結される。図面実施例では、前記角度調節板１３の前記ブラケット１１との連結端部１３ａを垂直に折曲げて、該連結端部１３ａと前記ブラケット１１とをボルト・ナット等１４にて連結し、前記発光板９の上部の揺動に拘わらず前記角度調節板１３が水平移動するように構成している。
【００２５】
さらに、前記それぞれの角度調節板１３の長孔１２が重合させられ、該重合させられた長孔１２に支持ボルト１５が挿通され、該支持ボルト１５に前記角度調節板１３の長孔１２が押圧支持される。
【００２６】
図面実施例では前記支持ボルト１５が前記長孔１２の下方から挿通され、該長孔１２が支持ボルト１５の頭部１５ａに支持され、前記長孔１２より上方に突出した前記支持ボルト１５にコイルスプリング１６が環巻きされ、支持ボルト１５の上端が本体側支持部に固定され、ワッシャ１７を介して前記それぞれの角度調節板１３の長孔１２が前記コイルスプリング１６により前記支持ボルト１５の頭部１５ａに押圧されるように構成している。図中、１８は光源部４の保護枠である。
【００２７】
前記図面実施例では、上下二段に形成した光源部４の上段の光源部を下段の光源部の間位置に配置している。さらに詳細を図示しないが、下段の光源部に対し上段の光源部を回転自在に構成することもできる。
【００２８】
前記構成の本発明は、前記発光板９の上端部を手でつかみ手前に引くことにより、図１及び図２に示すように前記発光板９による光の照射角度を下向き無段階に調節することができる。また、前記発光板９の上端部を押し込むことにより、図４に示すように前記発光板９による光の照射角度を垂直方向に変更することができる。
【産業上の利用可能性】
【００２９】
本発明は、各作業現場に合わせて光の照射角度の調節が容易であり、産業上の利用可能性は大である。
【符号の説明】
【００３０】
４    光源部
５    バルーン
６    光源支持板
７    支柱
８    ＬＥＤ素子
９    発光板
１２  長孔  
１３  角度調節板
【図１】
0005830788.tif 000002
【図２】
0005830788.tif 000003
【図３】
0005830788.tif 000004
【図４】
0005830788.tif 000005
【図５】
0005830788.tif 000006